(57)【要約】      （修正有）【課題】装置構成をコンパクトにしやすい眼科装置を提供する。【解決手段】眼科測定装置は、測定光をスリット状に整形するための開口が径方向に少なくとも１つ形成されたスリット板２３を持ち、スリット状の測定光を用いて被検眼眼底を走査する投影光学系２０と、被検眼角膜と共役な位置において受光素子が配置された受光ユニット３７を持ち，眼底で反射される測定光を受光素子を用いて受光するための受光光学系３０と、を備える。眼科測定装置の制御部は、スリット方向と対応する経線方向における角膜部位での被検眼の屈折力を、各々の角膜部位と対応する，受光素子からの位相差信号出力に基づいて得る。更に、制御部は、第１駆動部２２ａと、第２駆動部２３ａと、を組み合わせてスリット板２３を駆動することによって、測定光の走査を制御し、複数の経線方向における角膜部位での被検眼の屈折力分布を得る。【選択図】図１
2016140389.tif 000002
【特許請求の範囲】
【請求項１】
光源から出射される測定光をスリット状に整形すると共に、スリット状の測定光を用いて被検眼の眼底を走査する投影光学系と、
被検眼角膜と共役な位置において受光素子が配置された受光ユニットを持ち、前記被検眼の眼底で反射される測定光を前記受光素子を用いて受光するための受光光学系と、
スリット方向と対応する経線方向における角膜部位での被検眼の屈折力を、各々の角膜部位と対応する，前記受光素子からの位相差信号出力に基づいて得る演算制御手段と、を備える眼科測定装置であって、
前記投影光学系は、
測定光をスリット状に整形するための開口が径方向に少なくとも１つ形成されたスリット板と、
前記スリット板を、前記測定光の投光光軸と同軸の第１の回転軸を中心に回転させるための第１駆動部と、
前記スリット板を、前記測定光の投光光軸に対して間隔を空けて平行に離れた第２の回転軸を中心に回転させるための第２駆動部と、を備えており、
前記演算制御手段は、前記第１駆動部と前記第２駆動部とを組み合わせて駆動することによって、測定光の走査を制御し、複数の経線方向における角膜部位での被検眼の屈折力分布を得ることを特徴とする眼科測定装置。
【請求項２】
前記演算制御手段は、前記屈折力分布を得る場合において、前記スリット板を前記第１の回転軸を中心に所定の角度ステップで駆動すると共に、各ステップ位置にて前記開口が測定光束を横切るように、前記スリット板を第２の回転軸を中心に回転させることを特徴とする請求項１記載の眼科測定装置。
【請求項３】
前記受光ユニットを、前記受光光学系の受光光軸と同軸の第３の回転軸を中心に回転させるための第３駆動部を有し、
前記演算制御手段は、前記第１の回転軸に対する前記スリット板の回転と、前記第３の回転軸に対する前記受光ユニットの回転とが同期するように、前記第１駆動部および前記第３駆動部を制御することを特徴とする請求項１又は２に記載の眼科測定装置。
【請求項４】
前記演算制御手段は、前記受光ユニットにおいて異なる２つの位置に対応して前記受光素子からそれぞれ出力される位相差信号出力を、各受光素子の信号出力波形において強度ピークに対し所定割合の強度を示す２点間の中点同士の位相差に応じた信号出力として検出することを特徴とする請求項１から３の何れかに記載の眼科測定装置。
【発明の詳細な説明】
【技術分野】
【０００１】
本開示は、被検者眼の屈折分布を測定する眼科測定装置に関する。
【背景技術】
【０００２】
従来、被検眼の広い範囲にわたる眼屈折分布（波面収差を含む）を測定する装置が知られている。このような装置として、スリット光束で被検眼眼底を走査すると共に、眼底で反射されたスリット光束を角膜と略共役な位置に配置した複数の受光素子を用いて受光し、各受光素子の位相差信号に基づいて経線方向で変化する被検眼の屈折力を得る装置が知られている。
【０００３】
特許文献１には、スリット光束を走査するために、複数のスリットが形成された円筒状の回転セクターが、測定光源を囲むように設けられた装置が開示されている。この装置の回転セクターは、円筒の中心軸が測定光軸と直交するように配置されている。眼屈折分布を測定する場合、回転セクターは、円筒の中心軸周りに回転すると共に、測定光軸周りにも回転することで、各経線方向にスリット光束が走査される。
【先行技術文献】
【特許文献】
【０００４】
【特許文献１】特開平１０−１０８８３７号公報
【発明の概要】
【発明が解決しようとする課題】
【０００５】
例えば、特許文献１記載の装置では、測定光源を囲む大きさの回転セクターが必要となり、また、回転セクターを測定光軸周りに回転させるため、筐体内において回転セクターおよびその駆動機構を含むユニットのために大きなスペースが必要であった。その結果、装置のコンパクト化が難しかった。また、眼屈折分布測定とは異なる測定を行うための光学系を、同一筐体内に設けることへの妨げとなっていた。
【０００６】
本開示は、従来技術の問題点に鑑みてなされたものであり、装置構成をコンパクトにしやすい眼科測定装置を提供することを技術課題とする。
【課題を解決するための手段】
【０００７】
本開示の第１態様にかかる眼科測定装置は、光源から出射される測定光をスリット状に整形すると共に、スリット状の測定光を用いて被検眼の眼底を走査する投影光学系と、被検眼角膜と共役な位置において受光素子が配置された受光ユニットを持ち、前記被検眼の眼底で反射される測定光を前記受光素子を用いて受光するための受光光学系と、スリット方向と対応する経線方向における角膜部位での被検眼の屈折力を、各々の角膜部位と対応する，前記受光素子からの位相差信号出力に基づいて得る演算制御手段と、を備える眼科測定装置であって、前記投影光学系は、測定光をスリット状に整形するための開口が径方向に少なくとも１つ形成されたスリット板と、前記スリット板を、前記測定光の投光光軸と同軸の第１の回転軸を中心に回転させるための第１駆動部と、前記スリット板を、前記測定光の投光光軸に対して間隔を空けて平行に離れた第２の回転軸を中心に回転させるための第２駆動部と、を備えており、前記演算制御手段は、前記第１駆動部と前記第２駆動部とを組み合わせて駆動することによって、測定光の走査を制御し、複数の経線方向における角膜部位での被検眼の屈折力分布を得る。
【発明の効果】
【０００８】
本開示によれば、装置構成をコンパクトに構成しやすい。
【図面の簡単な説明】
【０００９】
【図１】本実施形態の眼科測定装置における光学系の概要を示した図である。
【図２】本実施形態におけるスリット板の概略構成を示す図であり、スリット板を光軸方向から視た図である。
【図３】本実施形態におけるスリット板の概略構成を示す図であり、測定光学系においてスリット板の周辺を拡大した図である。
【図４】本実施形態におけるスリット板の概略構成を示す図であり、光軸を中心とするスリット板の動作を示した図である。
【図５】受光ユニットの構成を示した図である。
【図６】本実施形態の眼科測定装置における電気的構成の概要を示した図である。
【図７】スリットの回転角度毎の受光信号強度を示した図である。
【図８】屈折力の異なる模型眼を測定した場合における位相差信号出力を示した図である。
【図９】走査ユニットの変形例を示した図である。
【発明を実施するための形態】
【００１０】
以下、図面を参照しつつ、本開示における典型的な実施形態を説明する。図１に、実施形態に係る眼科測定装置１の概略構成を示す。眼科測定装置１は、眼屈折力分布を解析するために用いられる。また、本実施形態では、詳細な角膜形状の分布を解析するためにも用いられる。
【００１１】
＜光学系の説明＞
初めに、眼科測定装置１の光学系について説明する。眼科測定装置１は、眼屈折力分布を測定するための光学系（眼屈折力分布測定光学系）として、投影光学系２０と、受光光学系３０と、を備える。
【００１２】
投影光学系２０は、光源２１からの測定光を、被検眼Ｅに対して投光する。この場合において、投影光学系２０は、光源２１から出射される測定光をスリット状に整形する。また、スリット状の測定光を用いて被検眼の眼底を走査する。本実施形態において、投影光学系２０は、走査ユニット２２（走査部）、投光レンズ２４、およびビームスプリッタ２５を備える。走査ユニット２２には、スリット板２３が配置されている。測定光は、このスリット板２３を通過することによって、スリット状に整形される。図１に示すように、光源２１から出射された測定光は、スリット板２３を介した後、投光レンズ２４およびビームスプリッタ２５を通過して、被検眼Ｅに照射される。なお、図１において、被検眼Ｅとビームスプリッタ２５との間には、ビームスプリッタ５１（詳細は後述する）が配置されている。本実施形態では、ビームスプリッタ５１によって、測定光の投受光は、妨げられない。
【００１３】
ここで、走査ユニット２２の詳細構成を説明する。走査ユニット２２は、測定光をスリット状に整形すると共に、測定光を走査するためのユニットである。図１に示すように、走査ユニット２２は、スリット板２３と、駆動機構２２ａ，２３ａ（各駆動機構は、例えば、モータ等を用いて構成しうる）と、を少なくとも含む。本実施形態では、図１に示すように、光源２１も走査ユニット２２に配置される。
【００１４】
スリット板２３は、測定光をスリット状に形成するために利用される。スリット板２３は、その板面が測定光軸Ｌ１と交差する，ある平面上に配置される。走査ユニット２２は、駆動機構２２ａ，２３ａを駆動することによって、このスリット板２３を測定光軸Ｌ１と交差する平面内（本実施形態では、測定光軸Ｌ１と直交する平面内）で変位させる。その結果として、被検眼Ｅ上で測定光が走査される。以下の説明において、スリット板２３の形状は、便宜上、図２に示すような円盤形状であるものとする。但し、スリット板２３の形状は、特に限定されるものではなく、他の形状（例えば、矩形等）を適宜採用し得る。
【００１５】
図２に示すように、スリット板２３は、その板面に、径方向に沿った開口（スリット）２３ｂが形成されている。開口２３ｂの幅Ｗ（つまり、開口２３ｂの長手方向と直交する方向における幅）は、スリット板２３の位置における測定光の光束径φに対して短い幅で形成されている。ここで、図３に示すように、光源２１からスリット板２３までの距離をＳとし、測定光の取り込み角度（つまり、有効口径の範囲を照射する光束における最大の角度）をθとすると、スリット板２３の位置における測定光の光束径φは、次の式（１）で表すことができる。このφよりも十分に狭い幅で、開口２３ｂは設けるとよい。
【００１６】
φ＝２Ｓｔａｎθ  ・・・（１）
図４に示すように、本実施形態では、走査ユニット２２において、駆動機構２２ａが駆動することによって、走査ユニット全体が、測定光軸Ｌ１と同軸に設定される第１の回転軸を中心に回転する。結果、スリット板２３は、駆動機構２２ａの駆動に伴って、第１の回転軸を中心に回転する。また、走査ユニット２２において、スリット板２３は、駆動機構２３ａの駆動に伴って、スリット板２３の中心（本実施形態では、円盤の中心）に位置する第２の回転軸を中心に回転する（図２参照）。このような構成により、スリット板２３は、第１の回転軸を中心とする回転と、第２の回転軸を中心とする回転とを、独立して行うことができる。より詳細については、後述する。
【００１７】
図１に戻り説明を続ける。受光光学系３０は、被検眼の眼底で反射された測定光を受光する受光ユニット３７（受光部）を有する。その他、受光光学系３０は、検出レンズ３１、第１絞り３２、ミラー３３、第２絞り３４、第３絞り３４、およびフィルタ３６を備える。これらの各部材は、ビームスプリッタ２５の反射側に配置される。このように構成された受光光学系３０において、眼底で反射された測定光は、ビームスプリッタ２５で反射されることによって、検出レンズ３１に導かれる。そして、測定光は、ミラー３３で反射されると共に、絞り３２，３４，３５のうちのいずれか１つと、フィルタ３６とを介して、受光ユニット３７へ照射される。
【００１８】
絞り３２，３４，３５は、被検眼眼底で反射された測定光から位相に応じた信号を得るために利用される。また、絞り３２，３４，３５は、測定光の光路中に配置される結果として、位相差信号のノイズとなる光を除去する。本実施形態では、絞り３２，３４，３５のうち、いずれか１つが測定光の受光光路に挿入されて、測定に使用される。それぞれの絞り３２，３４，３５を移動させるための駆動機構３２ａ，３４ａ，３５ａ（図６参照）が、制御部７０によって制御されることで、受光光路における絞りの位置が切換えられる。この場合において、第２絞り３４は、正視眼（視度の誤差がＯＤの眼）における眼底共役位置に配置される。また、第１絞り３２は、近視眼（例えば、視度の誤差がマイナス６Ｄの眼）における眼底共役位置に配置され、第３絞り３５は、遠視眼（例えば、視度の誤差がプラス７Ｄの眼）における眼底共役位置に配置される。なお、絞りの位置を切換える構成としては、上記構成に限定されるものではない。例えば、絞りを、受光光軸に沿って変位させる機構を用いて、絞りの位置を切換えてもよい。なお、本開示において、「共役」は、必ずしも完全な共役関係に限定されるものではない。本開示において、「共役」な関係は、完全な共役関係のほか、許容される精度の範囲で完全な共役関係からずれた位置関係であってもよい。また、フィルタ３６は、測定光を透過し、それ以外の光を遮光する特性を持つ。
【００１９】
図５を参照して、受光ユニット３７の詳細構成について説明する。図５に示す受光ユニット３７は、複数（図５では、一例として、１０個）の受光素子３７ａ〜３７ｒを備える。各受光素子３７ａ〜３７ｒは、検出レンズ３１、絞り３２，３４，３５に関し、被検眼Ｅの角膜と共役な位置に配置される。（なお、例えば、各受光素子３７ａ〜３７ｒと厳密に共役関係にある位置は、例えば、角膜頂点からおよそ４ｍｍ程度まで眼底側にシフトしていたとしても許容され得る）。図５に示すように、受光素子３７ａ〜３７ｐは、受光光学系３０の光軸Ｌ２（以下、受光光軸Ｌ２と称す）と交差する１つの直線上に配置される。図５の例では、受光素子３７ａと３７ｉ、受光素子３７ｂと３７ｊ、・・・（中略）・・・、受光素子３７ｈと３７ｐは、それぞれ対を成すように、受光光軸Ｌ２に対してそれぞれ対称に配置されている。８対の受光素子は、角膜の経線方向で異なる部位の屈折力を得られるようにその配置距離が設定されている。一方、受光素子３７ｑと３７ｒとは、受光素子３７ａ〜３７ｐの配置方向と直交して配置されるように、受光光軸Ｌ２を挟んで配置されている。また、本実施形態において、受光ユニット３７は、駆動機構３８（例えば、モーター等）が駆動することによって、受光光軸Ｌ２と同軸に設定された回転軸（第３の回転軸）を中心に回転する。受光ユニット３７は、スリット板２３における投光光軸Ｌ１を回転軸（第１の回転軸）とする回転運動と同期して（つまり、角度の変位量を同じくして）回転可能である。
【００２０】
また、眼科測定装置１は、角膜形状を測定するため光学系（つまり、角膜形状測定光学系）として、プラチドリング投影光学系４０（以下、投影光学系４０と省略する）と、撮像光学系５０と、を備える。投影光学系４０は、同心円状に形成された複数の円環形状の指標像を、被検眼の角膜に投影する。本実施形態では、一例として、投影光学系４０は、プラチド板４１と、可視光源４２と、反射板４３と、を備える。プラチド板４１には、多数の円環状の指標が、同心円状に形成されている。また、可視光源４２は、プラチド板４１を背後から照明する。撮像光学系５０は、被検眼の角膜で反射された指標像を撮像する撮像素子５４（例えば、ＣＣＤカメラ等）を、主に備える。本実施形態において、撮像光学系５０は、撮像素子５４の他、ビームスプリッタ５１、５２、および、撮影レンズ５３を備える。なお、本実施形態において、撮像光学系５０を用いて前眼部の観察又は撮影を行うことができる。即ち、撮像光学系５０は、前眼部撮像光学系として兼用され得る。
【００２１】
また、眼科測定装置１は、固視光学系６０を備える。固視光学系６０は、可視光源６１と、固視標６２と、レンズ６３とを備える。レンズ６３は、駆動機構６３ａ（図６参照）が制御部７０に制御されることで、光軸方向に移動可能である。レンズ６３の移動は、例えば、眼屈折力測定が行われる場合に行われる。この場合、レンズ６３の移動によって、雲霧が行われる。
【００２２】
＜電気的構成の説明＞
次に、図６を参照して眼科測定装置１の電気的な構成について説明する。眼科測定装置１は、制御部７０（演算制御部）を有する。制御部７０は、眼科測定装置１における装置全体の制御、および演算処理を行うプロセッサである。本実施形態において、制御部７０は、角膜形状の角膜屈折力分布（角膜曲率分布）と眼全体の眼屈折力分布とをそれぞれ演算する。また、制御部７０は、角膜屈折力分布と眼屈折力分布とから、眼内屈折力分布を演算する。制御部７０は、例えば、ＣＰＵおよびメモリ等の組み合わせからなる。本実施形態において、制御部７０は、光学系を介して取得した被検眼の画像に対する各種の画像処理を行う画像処理部を兼用する。但し、必ずしもこれに限られるものではなく、各種の画像処理を行う回路は、制御部７０とは別体に設けられていても良い。
【００２３】
本実施形態において、制御部７０には、記憶部７１、操作入力部７２、モニタ７５、が電気的に接続される。また、制御部７０には、各種光源（即ち、光源２１、光源４２、および光源６１等）と、各種受光素子（すなわち、受光素子３７、および撮像素子５４等）とが電気的に接続されている。本実施形態では、更に、スリット板２００を回転させるための駆動機構２２ａ，２３ａと、受光ユニット３７を回転させるための駆動機構３８と、各絞り３２，３４，３５を挿脱するための駆動機構３２ａ，３４ａ，３５ａと、レンズ６３を移動させるための駆動機構６３ａと、の各駆動機構（いずれも図示せず）に対しても、制御部７０は接続される。
【００２４】
記憶部７１は、各種の制御プログラムおよび固定データを格納する。また、記憶部７１には、眼科測定装置１によって撮影された画像、一時データ等が記憶されてもよい。
【００２５】
制御部７０は、操作入力部７２から出力される操作信号に基づいて、上記の各部材を制御する。操作入力部７２は、検者によって操作される操作部材として、例えば、マウス、キーボード等の操作部材を備える。
【００２６】
モニタ７５は、眼科測定装置１に搭載された（つまり、筐体一体型の）表示モニタであってもよいし、眼科測定装置１とは別体の汎用の表示モニタであってもよい。また、これらが併用された構成であってもよい。モニタ７５は、制御部７０による各種演算結果（例えば、被検眼の屈折および形状に関する解析結果等）を、表示できる。また、モニタ７５は、眼科測定装置１で撮影された画像（例えば、前眼部画像等）を表示できる。
【００２７】
＜装置の動作＞
次に、上記に示した構成を持つ眼科測定装置１の動作を説明する。
【００２８】
＜眼屈折分布の測定＞
次に、眼屈折力分布の測定における装置の動作を説明する。なお、測定に際しては、事前に、光源２１の角膜反射輝点を用いて被検眼Ｅと装置とのアライメントが行われてもよい。
【００２９】
まず、本実施形態の眼科測定装置１において、一つの測定経線に対応する角膜部位での眼屈折力を得る手法（ここでは、位相差法による手法）を説明する。測定経線は、第２の回転軸（測定光軸Ｌ１から離れて設定される回転軸）を中心にしてスリット板２３が回転する場合における、被検眼Ｅ角膜上でのスリット光の通過軌跡（円弧状の軌跡）と近似している。つまり、測定経線は、測定光軸Ｌ１（第１の回転軸）に対するスリット板２３の位置に応じて定められる。例えば、第２の回転軸が測定光軸Ｌ１の真上（Ｙ方向）に配置される場合は、水平方向（Ｘ方向）の測定経線に対応する角膜部位での眼屈折力が得られる。このように、本実施形態において、測定経線は、第２の回転軸と測定光軸Ｌ１とを含む平面に対して直交するものとみなして扱う。
【００３０】
測定において、制御部７０は、受光ユニット３７を回転させて、受光ユニット３７における受光素子３７ａ〜３７ｐの配置方向を測定経線の方向と一致させる。そのうえで、制御部７０は、光源２１から測定光を出射すると共に、第２の回転軸を中心にスリット板２３を回転させる。この場合において、スリット板２３は、スリット開口２３ｂが測定光束を横切るように回転される（例えば、少なくとも１８０°回転させてもよい）。その結果、測定光が、被検眼Ｅの眼底上で走査される。そして、その反射光が受光ユニット３７によって受光される。
【００３１】
このようにして測定光を受光した受光ユニット３７の受光結果に基づいて、制御部７０は、一つの測定経線に対応する角膜部位での眼屈折力を求める。まず、測定経線に対して直交する方向に配置される受光素子３７ｑと３７ｒの出力信号の位相差（つまり、位相さ信号出力）から、受光素子３７ａ〜３７ｐが位置する経線方向の角膜中心（又は、視軸中心）が求められる。そして、各受光素子３７ａ〜３７ｐにそれぞれ対応する角膜相当位置と角膜中心との位相差をそれぞれ得る。得られた位相差に公知の処理を行うことで、各受光素子３７ａ〜３７ｐに対応する角膜部位での屈折力がそれぞれ求められる（信号処理のより詳細については、例えば、特開平１０−１０８８３７号を参照されたい。）
ここで、第２の回転軸に対してスリット板２３を回転させた場合における各受光素子３７ａ〜３７ｒにおける出力信号の波形を、図７のグラフによって示す。図７のグラフにおいて、横軸は、第２の回転軸を中心とした開口２２の角度である。スリット板２３が等速で回転する場合、時間に換算することが可能である。また、縦軸は、出力信号の強度を示す。なお、図７のグラフにおいて示した信号強度は、発明者が、光学系の設計値を適宜設定して行った、シミュレーションによって求めた値である。
【００３２】
上記に概要を示した位相差法で屈折力を測定する場合において、各々の出力信号において、位相の基準（つまり、出力タイミングの基準）を定める必要がある。例えば、出力信号が最大になるタイミング（あるいは、スリットの回転角度）を、位相の基準とすることができる。位相の基準が適正であれば、良好な測定精度を実現できる。ここで、図７に示すように、本実施形態の測定手法で得られる出力信号の波形は、ピーク付近の曲がり方が比較的なだらかであり、場合によっては、ピークが平坦につぶれてしまう場合がある。よって、仮に、波形において強度が最も高くなっている箇所を位相の基準とした場合には、位相差を精度よく得られず、結果として、屈折力の測定精度が十分に得られない場合が考えられる。
【００３３】
これに対し、本実施形態では、出力信号の最大強度に対して所定の割合の信号強度が出力されたタイミングを２つ求め、その中点を、該出力信号における位相の基準として利用する。この手法によれば、たとえピークがつぶれた出力信号であっても、より適正に位相の基準を設定できる。よって、良好な測定精度を実現できる。
【００３４】
また、図７に示すように、絞り３２，３４，３５の中から、受光光路に配置される絞りを適宜選択して、眼屈折力の測定を行うことで、眼屈折力をより良好に得ることができる。各受光素子３７ａ〜３７ｐから出力される信号の分布形状などが、絞りの位置に応じて変化するためである（但し、絞りの位置を変えても信号の位相は変わらない）。例えば、受光光軸Ｌ２における正視眼の眼底共役位置に、絞り３４が配置される場合、正視眼に対する屈折誤差が比較的少ない被検眼の眼屈折力を良好に得ることができる。また、例えば、受光光軸Ｌ２における正視眼の眼底共役位置よりもプラス度数寄り（つまり、被検眼側）の位置に、絞り３２が配置される場合、屈折誤差がある程度以上大きな近視眼の眼屈折力を良好に得ることができる。更に、例えば、受光光軸Ｌ２における正視眼の眼底共役位置よりもマイナス度数寄り（つまり、受光ユニット３７側の）の位置に、絞り３５が配置される場合、屈折誤差がある程度大きな遠視眼の眼屈折力を良好に得ることができる。よって、例えば、制御部７０は、受光光軸Ｌ２上に配置される絞りの位置を第１の位置に配置して眼屈折力を測定した後、第１の位置とは異なる第２の位置に絞りを配置して眼屈折力を測定する構成としても良い。この場合において、第１の位置は、正視眼における眼底共役位置に配置するようにし、得られた眼屈折力の値に応じて、第２の位置に絞りを配置するか否か、或いは、どの位置を第２の位置として絞りを配置するか等を、制御部７０が設定する構成であってもよい。
【００３５】
図８に、異なる度数（ディオプトリ）の軸性異常模型眼に対して測定を行った場合における各対の受光素子による位相差信号出力を示す。図８に示すように、度数と、位相差信号出力との間に、正の相関があることが確認される。よって、予め屈折異常模型眼を用いて、位相差と度数との対応づけを行ったデータ（例えば、データテーブル、算出式等）を作成しておくことができる。そして、眼科測定装置１においては、測定される位相差に基づいてそのデータを参照することで、眼屈折力が得られるように構成することもできる。
【００３６】
以上のようにして、一つの測定経線に対応する角膜部位での眼屈折力が得られる。そこで、制御部７０は、スリット板２３と受光ユニット３７とを測定光軸Ｌ１周りに、例えば、１度ステップで回転させつつ、各ステップ位置にて上記のような眼屈折力測定を行う。ここで、ステップ位置とは、各ステップと対応するスリット板２３の位置であって、測定光軸Ｌ１に対する位置である。なお、測定光軸Ｌ１周りに１度分（つまり、１ステップ分）だけステップ位置が変更された後、１つの測定経線での測定が行われる。但し、必ずしもこれに限られるものではない。例えば、測定光軸Ｌ１周りに１度分の回動を行っている間に、スリット２３の開口２３ｂに測定光束を横切らせるよう駆動機構２３ａを駆動することで、あるステップ位置における測定が行われてもよい。
【００３７】
各ステップ位置にて測定が行われた結果、制御部７０は、各回転ステップと対応する測定経線毎の眼屈折力分布（つまり、角膜各部位での眼屈折力分布）を得ることができる。このような眼屈折力分布が得られた場合、制御部７０は、例えば、直径３ｍｍでの各経線方向の眼屈折力に所定の処理を施すことにより、球面度数Ｓ、乱視度数Ｃ、乱視軸角度Ａを求めることができる。なお、眼屈折力分布（および、球面度数Ｓ、乱視度数Ｃ、乱視軸角度Ａ）は、角膜から網膜までを一つの光学系と考えた場合の眼全体における、正視眼に対する屈折誤差の値として得られる。
【００３８】
以上の通り、本実施形態の眼科測定装置１によれば、走査ユニット２２そのものを、スリット板２３、およびその駆動機構２２ａ，２３ａを用いることで比較的省スペースに構成できる。また、スリット板２３の移動は測定光軸１と交差する平面に沿って行われるため、眼科測定装置１において、走査ユニット２２の動作のために必要とされるスペースを抑制できる。従って、コンパクトで、良好な測定精度の装置を実現することができる。また、走査ユニット２２およびその動作のためのスペースが抑制されることは、筐体内に、被検眼に関する測定であって、眼屈折力測定とは異なる測定、あるいは撮影を行うための光学系を組み込むうえでも有利である（例えば、眼軸長測定光学系、断層画像の撮影に用いる干渉光学系、前眼部撮影光学系、眼底撮影光学系、等）。
【００３９】
＜角膜形状の測定＞
次に、角膜形状測定について説明する。なお、測定に際しては、光源２１の角膜反射輝点を用いて被検眼Ｅと装置とのアライメントが事前に行われてもよい。制御部７０は、光源４２を点灯することによって、角膜にプラチドリングを投影する。制御部７０は、撮像素子５４によってプラチドリング像を撮像する。そして、得られた画像を画像処理することによって、角膜形状測定データを求める。角膜形状測定データとして、例えば、角膜中心（光源２１による輝点）を基準にした角膜曲率分布（例えば、角膜中心を基準とし、１度ステップごとの角膜曲率を示す分布等）を得ることができる。
【００４０】
なお、角膜曲率分布のデータは、周知の処理により角膜屈折力分布のデータに変換することが可能である。そして、例えば、角膜屈折力分布のデータと、眼屈折力分布のデータとから、角膜後面から網膜までの眼内の屈折力である眼内屈折力分布を演算することも可能である。制御部７０は、以上のようにして得られた眼屈折分布、角膜屈折力分布、および眼内屈折力分布のいずれか、またはその２つ以上を、マップとしてモニタ７５に表示してもよい。
【００４１】
以上、実施形態に基づいて説明を行ったが、上記実施形態は、当業者が通常有する知識に基づいて適宜変形可能である。
【００４２】
例えば、上記実施形態では、光源２１が走査ユニット２２に配置されることによって、駆動部２２ａの駆動に伴い、光源２１もその場で回転する構成であったが、光源２１は、走査ユニット２２とは別れて設けられていてもよい。例えば、図９に示すような構成が考えられる。
【００４３】
図９において、走査ユニット２２の駆動機構は、プーリ８１、ベルト８２、モータ（駆動部）８３を少なくとも含む。プーリ８１は、測定光軸Ｌ１を回転軸とし、例えば、測定光を透過あるいは（通過させる）。また、プーリに対して、スリット板２３を第２の回転軸周りに回転させるための駆動機構２２ａが固定される。図９には、測定光軸Ｌ１に配置されたモータ８３の駆動を、ベルト８２を介してプーリ８１に伝達することで、上記実施形態と同様に、スリット板２３を、測定光軸Ｌ１周りに回転させることができる。このような、走査ユニット２２と光源２１とが分離された構成によれば、光源２１を含まない分だけ、筐体において、走査ユニット２２に必要なスペースを、更に抑制できる。
【００４４】
また、上記実施形態では、予め定められた位置に配置される複数の受光素子３７ａ〜３７ｒからの位相差信号出力に基づいて眼屈折力を得る場合について説明したが、必ずしもこれに限られるものではない。例えば、複数の受光素子３７ａ〜３７ｒに代えて、２次元受光素子（具体例としては、２次元ＣＣＤ等）を利用してもよい。この場合、２次元受光素子の受光面にて角膜の各部位と対応する位置が予め定められていれば、各位置における受光信号の位相差として、位相差信号出力を得ることができる。この場合、２次元受光素子から出力される信号が、角膜におけるどの部位と対応するかを、制御部７０が識別できるように、２次元受光素子における角膜の各部位と対応する位置に関する情報が、記憶部７１に記憶されている構成であってもよい。
【００４５】
また、受光ユニットにおいて２次元受光素子を設けた場合は、必ずしも、眼屈折力測定の際に、スリット板２３と共に受光ユニット３７を回転させる必要はない。２次元受光素子における角膜の各部位と対応する位置の座標を、走査ユニット２２の光軸Ｌ１周りの回転と同期して変更（回転）させるようにしてもよい。
【符号の説明】
【００４６】
２０      投影光学系
２２      走査ユニット
２２ａ    駆動機構
２３      スリット板
２３ａ    駆動機構
２３ｂ    開口
３０      受光光学系
３７      受光ユニット
３７ａ〜３７ｒ  受光素子
３８      駆動機構
７０      制御部
【図１】
2016140389.tif 000003
【図２】
2016140389.tif 000004
【図３】
2016140389.tif 000005
【図４】
2016140389.tif 000006
【図５】
2016140389.tif 000007
【図６】
2016140389.tif 000008
【図７】
2016140389.tif 000009
【図８】
2016140389.tif 000010
【図９】
2016140389.tif 000011